(57)【特許請求の範囲】
【請求項１】
第１コンテンツを提供する施設で当該第１コンテンツとともに提供される第２コンテンツの枠に関する販売サービスを提供する提供部と、
前記提供部によって提供された販売サービスにおいて前記枠に関する権利を取得した権利者から、前記権利者に対応する第２コンテンツが施設で提供されるための条件であって、当該第２コンテンツが実際に施設で提供される際の動員数に関する指定を少なくとも含む条件を受け付ける受付部と、
前記権利者に対応する第２コンテンツと前記枠に関する枠情報とを関連付けた関連情報であって、前記受付部によって受け付けられた条件を含む関連情報を前記施設に配信する配信部と、
を備えたことを特徴とする配信装置。
【請求項２】
第１コンテンツを提供する施設で当該第１コンテンツとともに提供される第２コンテンツの枠に関する販売サービスを提供する提供部と、
前記提供部によって提供された販売サービスにおいて、前記枠に関する権利を取得した権利者に対応する第２コンテンツであって、当該第２コンテンツに対応する任意のコンテンツが前記施設以外に配信された際の評判に基づいて、当該施設に配信されるコンテンツとして選定された第２コンテンツと、前記枠に関する枠情報と、を関連付けた関連情報を前記施設に配信する配信部と、
を備えたことを特徴とする配信装置。
【請求項３】
前記枠に関する情報を前記施設から取得する取得部をさらに備え、
前記提供部は、
前記取得部によって取得された枠に関する情報に基づいて、前記枠に関する販売サービスを提供する、
ことを特徴とする請求項１又は２に記載の配信装置。
【請求項４】
前記提供部は、
前記取得部によって取得された枠に関する情報に基づいて、前記施設によって設定される枠に関する販売サービスを提供する、
ことを特徴とする請求項３に記載の配信装置。
【請求項５】
前記提供部は、
前記取得部によって取得された枠に関する情報に基づいて、販売対象の枠を設定し、設定した枠に関する販売サービスを提供する、
ことを特徴とする請求項４に記載の配信装置。
【請求項６】
前記提供部は、
前記取得部によって取得された枠に関する情報に基づいて、購入者によって指定される枠に関する販売サービスを提供する、
ことを特徴とする請求項３〜５のいずれか一つに記載の配信装置。
【請求項７】
前記取得部は、
前記第１コンテンツの提供予定に基づいて前記施設が送信する前記枠に関する情報を取得する、
ことを特徴とする請求項３〜５のいずれか一つに記載の配信装置。
【請求項８】
前記取得部は、
前記施設での前記枠の販売状況に応じて当該施設が送信する前記枠に関する情報を取得する、
ことを特徴とする請求項３〜７のいずれか一つに記載の配信装置。
【請求項９】
前記提供部は、
前記枠に関する権利の販売期間に応じて販売価格が変動する販売サービスを提供する、
ことを特徴とする請求項１〜８のいずれか一つに記載の配信装置。
【請求項１０】
前記提供部は、
前記第２コンテンツを提供する提供条件を指定させ、指定された該提供条件を満たす前記枠に関する販売サービスを提供し、
前記配信部は、
前記権利者に対応する第２コンテンツと、前記権利者によって指定された提供条件を満たす枠に関する枠情報とを関連付けた関連情報を配信する、
ことを特徴とする請求項１〜９のいずれか一つに記載の配信装置。
【請求項１１】
前記提供部は、
前記提供条件として、前記施設に関する条件を指定させ、前記販売サービスを提供する、
ことを特徴とする請求項１０に記載の配信装置。
【請求項１２】
前記提供部は、
前記施設に関する条件として、前記施設自体に関する情報、及び、前記施設における観客に関する情報の少なくとも１つを指定させ、前記販売サービスを提供する、
ことを特徴とする請求項１１に記載の配信装置。
【請求項１３】
前記提供部は、
前記施設自体に関する情報として、前記施設が所在する地域、前記施設で前記第１コンテンツが提供される日程、前記施設に収容可能な収容数、前記施設において提供される第１コンテンツの傾向又はジャンル、前記施設を運営する運営会社、及び、前記施設において前記第１コンテンツを同時に提供可能な数の少なくとも１つを指定させ、前記販売サービスを提供する、
ことを特徴とする請求項１２に記載の配信装置。
【請求項１４】
前記提供部は、
前記施設における観客に関する情報として、前記施設における観客の動員数の実績、前記施設における観客の現時点での動員数、及び、前記施設における観客の属性の少なくとも１つを指定させ、前記販売サービスを提供する、
ことを特徴とする請求項１２又は１３に記載の配信装置。
【請求項１５】
前記提供部は、
前記提供条件として、前記第１コンテンツに関する条件を指定させ、前記販売サービスを提供する、
ことを特徴とする請求項１０〜１４のいずれか一つに記載の配信装置。
【請求項１６】
前記提供部は、
前記第１コンテンツに関する条件として、前記第１コンテンツの制作者に関する情報、及び、前記第１コンテンツの内容に関する情報の少なくとも１つを指定させ、前記販売サービスを提供する、
ことを特徴とする請求項１５に記載の配信装置。
【請求項１７】
前記提供部は、
前記第１コンテンツの制作者に関する情報として、前記第１コンテンツの制作者、監督、配給会社、制作者の国籍、当該制作者の動員実績を指定させ、前記販売サービスを提供する、
ことを特徴とする請求項１６に記載の配信装置。
【請求項１８】
前記提供部は、
前記第１コンテンツの内容に関する情報として、前記第１コンテンツのジャンル、タイトル、出演者を指定させ、前記販売サービスを提供する、
ことを特徴とする請求項１６又は１７に記載の配信装置。
【請求項１９】
前記配信部は、
ウェブサイト向けに配信された任意のコンテンツに対する評判に基づいて、前記施設に配信する第２コンテンツを選定する、
ことを特徴とする請求項１〜１８のいずれか一つに記載の配信装置。
【請求項２０】
前記配信部は、
前記任意のコンテンツとして前記ウェブサイト向けに配信された第２コンテンツに対する評判に基づいて、前記施設に配信する第２コンテンツを選定する、
ことを特徴とする請求項１９に記載の配信装置。
【請求項２１】
前記提供部は、
前記施設の動員数の予測値を提示するとともに、前記販売サービスを提供する、
ことを特徴とする請求項１〜２０のいずれか一つに記載の配信装置。
【請求項２２】
前記権利者に対応する第２コンテンツを前記施設で提供可能な形式に変換する変換部をさらに備え、
前記配信部は、
前記変換部によって変換された後の第２コンテンツと前記枠情報とを関連付けた関連情報を配信する、
ことを特徴とする請求項１〜２１のいずれか一つに記載の配信装置。
【請求項２３】
コンピュータが実行する配信方法であって、
第１コンテンツを提供する施設で当該第１コンテンツとともに提供される第２コンテンツの枠に関する販売サービスを提供する提供工程と、
前記提供工程によって提供された販売サービスにおいて前記枠に関する権利を取得した権利者から、前記権利者に対応する第２コンテンツが施設で提供されるための条件であって、当該第２コンテンツが実際に施設で提供される際の動員数に関する指定を少なくとも含む条件を受け付ける受付工程と、
前記権利者に対応する第２コンテンツと前記枠に関する枠情報とを関連付けた関連情報であって、前記受付工程によって受け付けられた条件を含む関連情報を前記施設に配信する配信工程と、
を含んだことを特徴とする配信方法。
【請求項２４】
第１コンテンツを提供する施設で当該第１コンテンツとともに提供される第２コンテンツの枠に関する販売サービスを提供する提供手順と、
前記提供手順によって提供された販売サービスにおいて前記枠に関する権利を取得した権利者から、前記権利者に対応する第２コンテンツが施設で提供されるための条件であって、当該第２コンテンツが実際に施設で提供される際の動員数に関する指定を少なくとも含む条件を受け付ける受付手順と、
前記権利者に対応する第２コンテンツと前記枠に関する枠情報とを関連付けた関連情報であって、前記受付手順によって受け付けられた条件を含む関連情報を前記施設に配信する配信手順と、
をコンピュータに実行させることを特徴とする配信プログラム。
【請求項２５】
第１コンテンツとともに提供される第２コンテンツの枠に関する情報を、当該枠に関する販売サービスを提供する配信装置に送信する送信部と、
前記販売サービスにおいて前記枠に関する権利を取得した権利者に対応する第２コンテンツと、前記枠に関する枠情報とを関連付けた関連情報であって、当該第２コンテンツが施設で提供されるための条件であって、当該第２コンテンツが実際に施設で提供される際の動員数に関する指定を少なくとも含む条件を含む関連情報を、前記枠に関する情報を受信した配信装置から受信する受信部と、
を備えたことを特徴とする施設装置。
【請求項２６】
配信装置と、施設で利用される施設装置とを含む配信システムであって、
前記配信装置は、
第１コンテンツを提供する施設で当該第１コンテンツとともに提供される第２コンテンツの枠に関する販売サービスを提供する提供部と、
前記提供部によって提供された販売サービスにおいて前記枠に関する権利を取得した権利者から、前記権利者に対応する第２コンテンツが施設で提供されるための条件であって、当該第２コンテンツが実際に施設で提供される際の動員数に関する指定を少なくとも含む条件を受け付ける受付部と、
前記権利者に対応する第２コンテンツと前記枠に関する枠情報とを関連付けた関連情報であって、前記受付部によって受け付けられた条件を含む関連情報を前記施設に配信する配信部と、
を備え、
前記施設装置は、
前記枠に関する情報を前記配信装置に送信する送信部と、
前記条件を含む前記関連情報を、前記配信装置から受信する受信部と、
を備えたことを特徴とする配信システム。
【請求項２７】
コンピュータが実行する配信方法であって、
第１コンテンツを提供する施設で当該第１コンテンツとともに提供される第２コンテンツの枠に関する販売サービスを提供する提供工程と、
前記提供工程によって提供された販売サービスにおいて、前記枠に関する権利を取得した権利者に対応する第２コンテンツであって、当該第２コンテンツに対応する任意のコンテンツが前記施設以外に配信された際の評判に基づいて、当該施設に配信されるコンテンツとして選定された第２コンテンツと、前記枠に関する枠情報と、を関連付けた関連情報を前記施設に配信する配信工程と、
を含んだことを特徴とする配信方法。
【請求項２８】
第１コンテンツを提供する施設で当該第１コンテンツとともに提供される第２コンテンツの枠に関する販売サービスを提供する提供手順と、
前記提供手順によって提供された販売サービスにおいて、前記枠に関する権利を取得した権利者に対応する第２コンテンツであって、当該第２コンテンツに対応する任意のコンテンツが前記施設以外に配信された際の評判に基づいて、当該施設に配信されるコンテンツとして選定された第２コンテンツと、前記枠に関する枠情報と、を関連付けた関連情報を前記施設に配信する配信手順と、
をコンピュータに実行させることを特徴とする配信プログラム。
【請求項２９】
第１コンテンツとともに提供される第２コンテンツの枠に関する情報を、当該枠に関する販売サービスを提供する配信装置に送信する送信部と、
前記販売サービスにおいて前記枠に関する権利を取得した権利者に対応する第２コンテンツであって、当該第２コンテンツに対応する任意のコンテンツが施設以外に配信された際の評判に基づいて、当該施設に配信されるコンテンツとして選定された第２コンテンツと、前記枠に関する枠情報とを関連付けた関連情報を受信する受信部と、
を備えたことを特徴とする施設装置。
【請求項３０】
配信装置と、施設で利用される施設装置とを含む配信システムであって、
前記配信装置は、
第１コンテンツを提供する施設で当該第１コンテンツとともに提供される第２コンテンツの枠に関する販売サービスを提供する提供部と、
前記提供部によって提供された販売サービスにおいて、前記枠に関する権利を取得した権利者に対応する第２コンテンツであって、当該第２コンテンツに対応する任意のコンテンツが前記施設以外に配信された際の評判に基づいて、当該施設に配信されるコンテンツとして選定された第２コンテンツと、前記枠に関する枠情報と、を関連付けた関連情報を前記施設に配信する配信部と、
を備え、
前記施設装置は、
前記枠に関する情報を前記配信装置に送信する送信部と、
前記配信装置から前記関連情報を受信する受信部と、
を備えたことを特徴とする配信システム。
【発明の詳細な説明】
【技術分野】
【０００１】
本発明は、配信装置、配信方法、配信プログラム、施設装置及び配信システムに関する。
【背景技術】
【０００２】
現在、施設で提供されるコンテンツには、そのコンテンツの本編前に組み込まれる広告が上映される広告枠が設けられていることがある。例えば、映画館においては、上映される映画の本編前に数分間の広告枠が設定される。
【０００３】
このような広告配信に関する技術として、上映場所の視聴者に対して動画及びプロモーション用コンテンツをスケジューリングする技術が知られている。具体的には、この技術では、プロモーション用コンテンツを提示するタイムスロットに広告プロバイダから入札を求め、受信した入札に応じて広告プロバイダからの広告をタイムスロットに関連付け、その広告プロバイダから電子的に広告を取得する。
【先行技術文献】
【特許文献】
【０００４】
【特許文献１】特表２００７−５０５３９３号公報
【発明の概要】
【発明が解決しようとする課題】
【０００５】
しかしながら、上記の従来技術では、広告主の負担を軽減させることができるとは限らない。具体的には、上記の従来技術では、広告配信されるための上映場所が限定される。このため、広告主にとっては、地域や配信日程などの条件を指定して広告配信を望む場合、所望する上映場所に対応するタイムスロットを購入することになるため、広告配信のための手続きが煩雑となる。
【０００６】
本願は、上記に鑑みてなされたものであって、広告主の負担を軽減させることができる配信装置、配信方法、配信プログラム、施設装置及び配信システムを提供することを目的とする。
【課題を解決するための手段】
【０００７】
本願に係る配信装置は、第１コンテンツを提供する施設で当該第１コンテンツとともに提供される第２コンテンツの枠に関する販売サービスを提供する提供部と、前記提供部によって提供された販売サービスにおいて前記枠に関する権利を取得した権利者に対応する第２コンテンツと、前記枠に関する枠情報とを関連付けた関連情報を前記施設に配信する配信部とを備えたことを特徴とする。
【発明の効果】
【０００８】
実施形態の一態様によれば、広告主の負担を軽減させることができるという効果を奏する。
【図面の簡単な説明】
【０００９】
【図１】図１は、実施形態に係る配信処理の一例を示す図である。
【図２】図２は、実施形態に係る配信システムの構成例を示す図である。
【図３】図３は、実施形態に係る広告装置の構成例を示す図である。
【図４】図４は、実施形態に係る広告枠記憶部の一例を示す図である。
【図５】図５は、実施形態に係る広告コンテンツ記憶部の一例を示す図である。
【図６】図６は、実施形態に係る映画館装置の構成例を示す図である。
【図７】図７は、実施形態に係る広告装置による広告枠の販売サービスにかかる提供処理手順を示すフローチャートである。
【図８】図８は、実施形態に係る広告装置による広告枠関連情報にかかる配信処理手順を示すフローチャートである。
【図９】図９は、変形例に係る広告枠記憶部の一例を示す図である。
【図１０】図１０は、変形例に係る広告コンテンツ記憶部の一例を示す図である。
【図１１】図１１は、変形例に係る配信処理の一例を示す図である。
【図１２】図１２は、変形例に係る配信処理の一例を示す図である。
【図１３】図１３は、広告装置の機能を実現するコンピュータの一例を示すハードウェア構成図である。
【発明を実施するための形態】
【００１０】
以下に、本願に係る配信装置、配信方法、配信プログラム、施設装置及び配信システムを実施するための形態（以下、「実施形態」と呼ぶ）について図面を参照しつつ詳細に説明する。なお、この実施形態により本願に係る配信装置、配信方法、配信プログラム、施設装置及び配信システムが限定されるものではない。また、以下の各実施形態において同一の部位には同一の符号を付し、重複する説明は省略される。
【００１１】
〔１．配信処理〕
まず、図１を用いて、実施形態に係る配信処理の一例について説明する。図１は、実施形態に係る配信処理の一例を示す図である。図１では、本願に係る配信装置に対応する広告装置１００によって広告の配信処理が行われる例を示す。なお、以下では、施設として映画館を例に挙げ、施設で提供される第１コンテンツとして映画を例に挙げ、第１コンテンツとともに提供される第２コンテンツとして広告コンテンツを例に挙げて説明する。
【００１２】
図１に示した例において、映画館で上映される映画には広告コンテンツが上映される枠（以下、「広告枠」と表記する場合がある）が設けられる。例えば、映画の本編前に数分間の広告枠が設けられる。広告装置１００は、このような広告コンテンツが上映される広告枠に関する情報を映画館装置２０から取得する（ステップＳ１０）。なお、映画館装置２０は、映画館管理者によって利用される情報処理装置である。
【００１３】
広告装置１００は、例えば、広告枠に関する情報として、広告コンテンツが上映される映画館の名称や、広告枠が組み込まれる映画のタイトルや、広告コンテンツが映画館で上映される日時である配信日程などの情報の提供を受ける。そして、広告装置１００は、広告枠に関する情報として、映画館の名称や、映画のタイトルや、広告コンテンツの配信日程などを記憶する。
【００１４】
続いて、広告装置１００は、映画館装置２０から提供を受けた広告枠に関する情報に基づいて、広告主が操作する広告主端末１０から入札を受け付けるための枠を設定する。すなわち、広告装置１００は、広告主が広告コンテンツを提供できる映画館の名称や、広告コンテンツが組み込まれる映画のタイトルや、広告コンテンツの配信日程などの情報を整理し、広告主が要望するような入札を受け付けることのできる枠に関する情報を提示できるようにする。例えば、広告装置１００は、上記の広告枠に関する情報を表示するユーザーインターフェース画面を作成する。これにより、広告装置１００は、入札することのできる広告枠に関する情報を広告主にわかりやすく提示することができる。
【００１５】
そして、広告装置１００は、広告主が操作する広告主端末１０に対して、上記のように広告枠に関する情報を提示するとともに、広告枠の販売サービスを提供する（ステップＳ１１）。ここで、広告枠の販売サービスとは、広告主に対して、広告主が所望する広告枠に関する権利を販売することを意味する。
【００１６】
また、かかる販売サービスにおける広告枠に関する情報には、広告枠を入札対象とした場合の入札価格に関する情報が含まれる。ここで入札価格とは、広告主が広告枠に関する権利を購入する際の販売価格を意味する。なお、広告装置１００が提示する販売情報には、映画館装置２０から取得した広告枠に関する情報の内容を含んでもよい。すなわち、広告装置１００は、入札価格に加えて、広告コンテンツが上映される映画館の名称や、広告枠が組み込まれる映画のタイトルや、広告コンテンツの配信日程などを販売情報として広告主端末１０に提示してもよい。広告装置１００は、かかる情報を広告主端末１０に提示したうえで、広告枠への入札を受け付ける。
【００１７】
ここで、広告主は、提示された情報をもとに所望する広告枠を選択する。そして、広告主端末１０は、広告主の操作に従って、選択された広告枠に関する権利の購入要求を広告装置１００に送信する（ステップＳ１２）。例えば、広告主端末１０は、広告コンテンツを組み込みたい映画のタイトルが予め決まっている場合は、広告枠が組み込まれる映画のタイトルを指定して広告枠を購入する旨の要求を送信することができる。そして、広告装置１００は、広告主端末１０から広告枠に関する権利の購入要求を受け付けた場合に、かかる権利の購入者を決定する。
【００１８】
続いて、広告装置１００は、提供された販売サービスにおいて広告枠に関する権利を取得した広告主に対応する広告主端末１０から、かかる広告枠で提供される広告コンテンツの入稿を受け付ける。そして、広告装置１００は、入稿された広告コンテンツを記憶する。さらに、広告装置１００は、かかる広告枠と入稿された広告コンテンツとを関連付けた関連情報（以下、「広告枠関連情報」と表記する場合がある）を記憶する。
【００１９】
そして、広告装置１００は、入稿された広告コンテンツとともに、広告枠関連情報を映画館装置２０に配信する（ステップＳ１３）。なお、広告装置１００は、映画館に広告コンテンツを配信する前に、上映される映画館の上映設備に適合させるよう、広告コンテンツに必要な変換処理を行う。かかる変換処理について、詳しくは後述する。
【００２０】
その後、映画館装置２０は、広告枠関連情報に基づいて、入稿された広告コンテンツを各スクリーンで上映させる。具体的には、映画館装置２０は、広告コンテンツが組み込まれる映画のタイトルや、配信日程などの広告枠に関する情報に基づいて、映画館の各スクリーンに備えられた上映設備に入稿された広告コンテンツを送信する。図１の例では、各スクリーンに備えられた上映設備とはビデオプロジェクタであり、ビデオプロジェクタＰＲ１、ビデオプロジェクタＰＲ２及びビデオプロジェクタＰＲ３である。ビデオプロジェクタＰＲ１〜ＰＲ３は、それぞれ異なるスクリーンに広告コンテンツを投影することで、広告コンテンツを観客に提供する。
【００２１】
このように、実施形態に係る広告装置１００は、映画館で映画とともに提供される広告コンテンツの広告枠に関する販売サービスを提供し、提供された販売サービスにおいて広告枠に関する権利を取得した広告主に対応する広告コンテンツと、広告枠に関する広告枠情報とを関連付けた関連情報を映画館側に配信する。
【００２２】
これにより、実施形態に係る広告装置１００を用いた場合、広告主は、個々の映画館側との直接的な手続きを必要とすることなく、所望する条件を指定して、映画館で広告コンテンツを配信することができる。例えば、広告主は、映画のタイトルを指定するだけで、そのタイトルの映画が上映される各映画館で広告コンテンツを配信させることができる。例えば、広告主は、配信日程を指定するだけで、その配信日程で映画が上映される各映画館で広告コンテンツを配信させることができる。このため、広告主は、映画館での広告配信に関して、映画館の入札情報を適宜取得したり、上映場所ごとに広告コンテンツを入稿したりといった煩雑な作業を行うことを要しない。すなわち、実施形態に係る広告装置１００は、広告主の広告配信にかかる作業を容易化することができるため、広告主の負担を軽減させることができる。
【００２３】
なお、上記実施形態では、映画の本編上映前に広告が提供される例を示した。このように、第１コンテンツとともに提供される第２コンテンツとは、映画本編が上映される際に、本編前に提供される広告や映画の予告編などを意味する。また、かかる第２コンテンツには、本編である第１コンテンツにオーバーレイのように重ねて提供されるようなものも含まれるものとする。すなわち、第２コンテンツは、上記実施形態のように本編前に組み込まれる広告枠で提供されるとは限られず、本編である第１コンテンツに重ねて提供される場合もありうる。この場合、広告枠に関する情報には、第２コンテンツは本編である第１コンテンツに重ねて提供される旨の情報が含まれることがある。また、上述した広告枠に関する権利とは、広告枠に広告コンテンツを組み込む権利や、本編である第１コンテンツにオーバーレイする権利などを含む。すなわち、広告主はかかる権利を取得することにより、映画館において、取得した権利に対応する広告枠で広告コンテンツを提供させることや、本編に広告コンテンツをオーバレイさせることができる。なお、以下では、「広告枠」と表記する場合には、広告枠だけでなく、かかる広告枠に関する権利についての概念を含む場合がある。
【００２４】
〔２．配信システムの構成〕
次に、図２を用いて、実施形態に係る配信システムの構成について説明する。図２は、実施形態に係る配信システム１の構成例を示す図である。図２に示すように、配信システム１には、広告主端末１０と、映画館装置２０と、広告装置１００とが含まれる。広告主端末１０、映画館装置２０及び広告装置１００は、ネットワークＮを介して、有線又は無線により通信可能に接続される。なお、図２に示した配信システム１には、複数台の広告主端末１０や、複数台の映画館装置２０が含まれてもよい。
【００２５】
広告主端末１０は、広告装置１００に広告配信を依頼する広告主によって利用される情報処理装置である。広告主端末１０は、例えば、デスクトップ型ＰＣ（Personal  Computer）や、ノート型ＰＣや、タブレット型端末や、携帯電話機、ＰＤＡ（Personal  Digital  Assistant）等により実現される。
【００２６】
かかる広告主端末１０は、具体的には、広告主による操作に従って、広告装置１００に対して、広告枠に関する権利の購入要求を送信したり、広告コンテンツを入稿したりする。
【００２７】
なお、広告主は、広告主端末１０を用いて、広告コンテンツを広告装置１００に入稿せずに、広告コンテンツの入稿を代理店に依頼する場合もある。この場合、広告装置１００に広告コンテンツを入稿するのは代理店となる。以下では、「広告主」といった表記は、広告主だけでなく代理店を含む概念であり、「広告主端末」といった表記は、広告主端末だけでなく代理店によって利用される代理店装置を含む概念であるものとする。
【００２８】
映画館装置２０は、映画館管理者によって利用される施設装置である。具体的には、かかる映画館装置２０は、広告枠に関する情報の管理や、広告装置１００から配信される広告コンテンツを映画館で上映するための処理等を行う。
【００２９】
広告装置１００は、広告コンテンツを映画館装置２０に配信するサーバ装置である。図１を用いて説明したように、広告装置１００は、映画館装置２０から広告枠に関する情報を取得したり、広告枠に関する権利の販売サービスを広告主端末１０に提供したりするための処理を行う。
【００３０】
〔３．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、広告枠記憶部１２１と、広告コンテンツ記憶部１２２と、制御部１３０とを有する。なお、広告装置１００は、広告装置１００を利用する管理者等から各種操作を受け付ける入力部（例えば、キーボードやマウス等）や、各種情報を表示するための表示部（例えば、液晶ディスプレイ等）を有してもよい。
【００３１】
〔３−１．通信部〕
通信部１１０は、例えば、ＮＩＣ（Network  Interface  Card）等によって実現される。かかる通信部１１０は、ネットワークＮと有線又は無線で接続され、ネットワークＮを介して、広告主端末１０や映画館装置２０との間で情報の送受信を行う。
【００３２】
〔３−２．記憶部〕
広告枠記憶部１２１及び広告コンテンツ記憶部１２２は、例えば、ＲＡＭ（Random  Access  Memory)、フラッシュメモリ（Flash  Memory）等の半導体メモリ素子、または、ハードディスク、光ディスク等の記憶装置によって実現される。
【００３３】
〔３−３．広告枠記憶部〕
広告枠記憶部１２１は、広告枠に関する情報を記憶する。ここで、図４に、実施形態に係る広告枠記憶部１２１の一例を示す。図４に示した例では、広告枠記憶部１２１は「映画館」、「スクリーン」、「座席数」、「本編タイトル」、「配信日程」、「広告枠ＩＤ」、「配信時間」、「入札価格」といった項目を有する。なお、図４に示すように、広告装置１００は、複数の映画館管理装置から広告枠に関する情報を取得しているものとする。
【００３４】
「映画館」は、広告コンテンツが配信される映画館の名称を示す。例えば、映画館「ＴＨ１」と映画館「ＴＨ２」とは異なる映画館の名称を示し、集客力や客層が異なることがある。このため、同じ映画に組み込まれる広告枠であっても、映画館によって入札価格が異なることがある。また、図示は省略したが、「映画館」には、映画館の名称のみならず、映画館の所在地等の施設情報が含まれてもよい。
【００３５】
「スクリーン」は、映画館における、映画を投射できるスクリーンと観客席を備えた上映室を示す。図４において、映画館「ＴＨ１」におけるスクリーン「ＳＣ１」とスクリーン「ＳＣ２」は異なる上映室を示しており、上映される映画や座席数が異なることがある。
【００３６】
「座席数」は、上映場所に備えられた観客席の数であり、観客を収容することのできる数を示す。座席数はスクリーンごとに異なる場合がある。
【００３７】
「本編タイトル」は、映画館で上映される映画（コンテンツの一例）のタイトルを示す。例えば、本編タイトル「Ｍ１」と本編タイトル「Ｍ２」とは異なる本編コンテンツを示し、集客力や客層が異なることがある。このため、同じ映画館における広告枠であっても、本編タイトルが異なれば、入札価格が異なることがある。また、図示は省略したが、「本編タイトル」の項目が含む情報には、映画のタイトルのみならず、かかる映画に関するコンテンツ情報が含まれてもよい。コンテンツ情報には、例えば、予め想定される主な観客の客層（例えば、性別や年齢層）や、主演キャストや、他国での同一タイトルにおける動員数や、インターネットにおける評判（例えば、検索クエリの上昇数）などの情報が含まれる。
【００３８】
「配信日程」は、映画館において広告コンテンツが配信される日時を示す。ここで配信とは、ネットワークを通じて広告コンテンツが配信されることのみならず、広告コンテンツが映画館で上映されることにより、観客に広告コンテンツが視聴されることも含む概念である。図４に示した例では、配信日程を広告配信の開始時刻として、広告枠順に、指定されたスクリーンにて広告が配信される。
【００３９】
「広告枠ＩＤ」は、広告コンテンツが提供される枠である広告枠を識別するための識別情報を示す。例えば、広告主は、広告装置１００に対し、広告枠ＩＤ「Ｃ１１１」によって識別される広告枠について広告枠に関する権利の購入を要求することができる。なお、以下では、図４に示した広告枠ＩＤに記憶されている識別情報を広告枠の参照符号として用いる場合がある。例えば、以下では、広告枠ＩＤ「Ｃ１１１」によって識別される広告枠を「広告枠Ｃ１１１」と表記する場合がある。
【００４０】
「配信時間」は、映画館で広告コンテンツを配信する時間長を示す。図４の例では、配信時間の単位は秒とする。例えば、広告枠Ｃ１１１には、配信時間として「１５秒」が割り当てられていることを示す。
【００４１】
「入札価格」は、広告枠の販売サービスにおいて広告枠を入札対象としたときの価格を示す。言い換えれば、「入札価格」は、広告枠に関する権利を取得するにあたり、広告主が課金される価格を示す。図４に示した例では、広告枠Ｃ１１１に関する権利を取得するにあたって、広告主には「１００００円」が課金されることを示している。
【００４２】
すなわち、図４では、広告枠Ｃ１１１が、映画館「ＴＨ１」で上映される本編タイトル「Ｍ１」である映画に組み込まれる広告枠である例を示している。このとき、広告枠Ｃ１１１に対応する広告コンテンツは、映画館「ＴＨ１」内の座席数「２００」である「ＳＣ１」スクリーンにて、「２０１４年２月１０日９時００分００秒」から「１５秒」間だけ上映される。また、図４では、広告枠Ｃ１１１に対応する入札価格が「１００００円」であることを示している。
【００４３】
〔３−４．広告コンテンツ記憶部〕
広告コンテンツ記憶部１２２は、広告主端末１０から入稿された広告コンテンツに関する情報を記憶する。具体的には、広告コンテンツ記憶部１２２は、後述する提供部１３２によって提供された販売サービスにおいて広告枠を取得した広告主に対応する広告コンテンツと、広告枠に関する情報とを関連付けて、広告枠関連情報として記憶する。ここで、図５に、実施形態に係る広告コンテンツ記憶部１２２の一例を示す。図５に示した例では、広告コンテンツ記憶部１２２は、「広告枠ＩＤ」、「広告主ＩＤ」、「広告コンテンツＩＤ」といった項目を有する。
【００４４】
「広告枠ＩＤ」は、図４に示した広告枠ＩＤに対応する。また、「広告主ＩＤ」は、広告主又は広告主端末１０を識別するための識別情報を示す。
【００４５】
「広告コンテンツＩＤ」は、広告主から広告装置１００に入稿された広告コンテンツを識別するための識別情報を示す。また、図示を省略するが、実施形態に係る広告コンテンツ記憶部１２２は、実際に映画館に配信される広告コンテンツを記憶する。具体的には、実施形態に係る広告コンテンツ記憶部１２２は、映画館で上映される動画像等で構成される広告コンテンツのデータを記憶する。
【００４６】
すなわち、図５では、広告枠「Ｃ１１１」に、広告主ＩＤ「ＣＬ１１」によって識別される広告主が、広告コンテンツＩＤ「Ａ１１」によって識別される広告コンテンツを入稿している例を示している。
【００４７】
なお、実際に映画館に配信される広告コンテンツは、広告装置１００とは別に備えられた広告配信サーバに記憶されてもよい。この場合、広告装置１００は、広告コンテンツ記憶部１２２に記憶された広告コンテンツＩＤに基づいて、外部の広告配信サーバに記憶された広告コンテンツを特定する。そして、広告装置１００は、広告配信サーバに対して、特定された広告コンテンツを映画館に対して配信するよう制御する。
【００４８】
〔３−５．制御部〕
制御部１３０は、例えば、ＣＰＵ（Central  Processing  Unit）やＭＰＵ（Micro  Processing  Unit）等によって、広告装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４９】
図３に示すように、制御部１３０は、取得部１３１と、提供部１３２と、受付部１３３と、変換部１３４と、配信部１３５と、算定部１３６とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５０】
〔３−６．取得部〕
取得部１３１は、映画館装置２０により提供される広告枠に関する情報を取得し、かかる情報を広告枠記憶部１２１に記憶させる。具体的には、取得部１３１は、広告枠に関する情報として、「映画館」、「スクリーン」、「座席数」、「本編タイトル」、「配信日程」、「広告枠ＩＤ」、「配信時間」等の情報を広告枠記憶部１２１に記憶させる。
【００５１】
なお、取得部１３１は、映画館装置２０により提供される情報に限られず、他の広告枠に関する情報を取得し、かかる情報を広告枠記憶部１２１に記憶させることもできる。例えば、広告枠にかかる「入札価格」は、広告装置１００の管理者により設定されることがある。この場合、取得部１３１は、広告装置１００の管理者により入力される入札価格を広告枠に関する情報として取得する。
【００５２】
また、取得部１３１は、広告枠記憶部１２１に既に記憶されている広告枠に関する情報を更新することもできる。例えば、広告枠の組み込まれた映画が別のタイトルに差し替わる場合、映画館装置２０は、広告枠に関する情報における「本編タイトル」項目を変更する。この場合、取得部１３１は、映画館装置２０から新たな情報を取得し、広告枠記憶部１２１に記憶されている情報を更新する。
【００５３】
〔３−７．提供部〕
提供部１３２は、映画館で映画とともに提供される広告コンテンツの広告枠に関する販売サービスを提供する。言い換えれば、提供部１３２は、映画館で映画とともに広告コンテンツが提供される権利を販売する。具体的には、提供部１３２は、広告枠に関する情報について広告主端末１０からアクセスがあった場合に、広告枠に関する情報として、例えば入札価格を広告主端末１０に提示するとともに、広告枠に関する権利の販売サービスを広告主端末１０に提供する。
【００５４】
なお、提供部１３２は、広告主端末１０に対して、広告枠に関する情報として、映画館に関する施設情報や、映画館で上映される映画に関するコンテンツ情報をさらに提示することもできる。例えば、提供部１３２は、施設情報として、映画館が所在する地域や、映画館で映画が上映される時間に関する情報などを提示する。また、提供部１３２は、コンテンツ情報として、映画のタイトルに関する情報などを提示する。これらの施設情報及びコンテンツ情報は、広告枠記憶部１２１に記憶されている「広告枠ＩＤ」毎の「映画館」、「本編タイトル」、「配信日程」、「配信時間」などに対応する。また、コンテンツ情報としては、想定される主な観客の客層などの情報が含まれる。
【００５５】
また、提供部１３２は、広告主端末１０に提供条件を指定させ、指定された提供条件を満たす広告枠に関する販売サービスを提供することもできる。以下に、広告主端末１０が、映画のタイトルを指定して広告枠を取得する具体例について説明する。ここでは、広告主が、本編タイトル「Ｍ１」の映画に組み込まれる広告枠で広告コンテンツを提供させることを所望したとする。この場合、広告主端末１０は、提供部１３２に対して、広告枠の提供条件として本編タイトル「Ｍ１」を指定する。そして、提供部１３２は、指定された提供条件である本編タイトル「Ｍ１」を満たす広告枠を抽出する。図４に示した例でいえば、提供部１３２は、本編タイトル「Ｍ１」に組み込まれる広告枠「Ｃ１１１」、「Ｃ１１２」、「Ｃ１１３」・・・、「Ｃ２１１」・・・、などを抽出する。そして、提供部１３２は、抽出した広告枠に関する情報を広告主端末１０に提示するとともに、かかる広告枠への購入要求を受け付ける。
【００５６】
なお、図４の説明で上述したように、本編タイトルには映画の題名のみならず、かかる映画に関するコンテンツ情報が含まれる。すなわち、提供部１３２は、映画に関するコンテンツ情報に対する広告主端末１０からの指定に応じて広告枠を抽出することもできる。
【００５７】
続いて、広告主端末１０が、映画館に関する条件を指定して広告枠を取得する具体例について説明する。ここでは、広告主が、映画館「ＴＨ１」において広告コンテンツを提供させることを所望したとする。この場合、広告主端末１０は、提供部１３２に対して、広告枠の提供条件として映画館「ＴＨ１」を指定する。そして、提供部１３２は、指定された提供条件である映画館「ＴＨ１」を満たす広告枠を抽出する。図４に示した例でいえば、提供部１３２は、映画館「ＴＨ１」を満たす広告枠「Ｃ１１１」、「Ｃ１１２」、「Ｃ１１３」・・・、「Ｃ１２１」・・・、などを抽出する。そして、提供部１３２は、抽出した広告枠に関する情報を広告主端末１０に提示するとともに、かかる広告枠への購入要求を受け付ける。
【００５８】
また、広告主が、任意の日における午前９時に広告コンテンツを提供させることを所望したとする。この場合、広告主端末１０は、提供部１３２に対して、広告枠の提供条件として配信日程「９：００：００」を指定する。そして、提供部１３２は、指定された提供条件である配信日程「９：００：００」を満たす広告枠を抽出する。図４に示した例でいえば、提供部１３２は、配信日程「９：００：００」を満たす広告枠「Ｃ１１１」、「Ｃ１１２」、「Ｃ１１３」・・・、などを抽出する。そして、提供部１３２は、抽出した広告枠に関する情報を広告主端末１０に提示するとともに、かかる広告枠への購入要求を受け付ける。
【００５９】
また、広告主が、座席数が１５０席以上あるスクリーンにおいて広告コンテンツを提供させることを所望したとする。この場合、広告主端末１０は、提供部１３２に対して、広告枠の提供条件として座席数「１５０以上」を指定する。そして、提供部１３２は、指定された提供条件である座席数「１５０以上」を満たす広告枠を抽出する。図４に示した例でいえば、提供部１３２は、座席数「１５０以上」を満たす広告枠「Ｃ１１１」、「Ｃ１１２」、「Ｃ１１３」・・・、「Ｃ２１１」・・・、などを抽出する。そして、提供部１３２は、抽出した広告枠に関する情報を広告主端末１０に提示するとともに、かかる広告枠への購入要求を受け付ける。
【００６０】
なお、実際には、提供部１３２は、上記に掲げたような本編タイトルや、配信日程（例えば、ある一週間のみ広告コンテンツを提供したい場合）や、映画館(例えば、一地方にのみ広告コンテンツを提供したい場合)の指定などを提供条件として組み合わせて受け付けることが想定される。この場合、提供部１３２は、各提供条件により広告枠を抽出し、抽出された広告枠に関する情報を広告主端末１０に提示する。
【００６１】
以上のように、提供部１３２は、広告主端末１０に提供条件を指定させ、指定された提供条件を満たす広告枠を抽出することで、広告主の要望に応じた販売サービスを提供する。
【００６２】
なお、提供部１３２は、映画館で映画が初めて上映される前に販売サービスを提供するだけでなく、映画館で映画が初めて上映された後にも販売サービスを提供してもよい。具体的には、映画館で映画が初めて上映される前に、映画に組み込まれる広告枠がすべて広告主に購入されるとは限らない。一般に、映画は数週間にわたる上映期間が設けられるため、映画館で映画が初めて上映された後であっても、広告枠の販売は、随時行われてもよい。この場合、提供部１３２は、広告枠に関する情報として、広告枠にかかる映画における実際の動員数や主な観客層などのコンテンツ情報をさらに提示することができる。
【００６３】
〔３−８．受付部〕
受付部１３３は、広告主端末１０から、広告枠に関する権利の購入要求や、広告コンテンツの入稿を受け付ける。具体的には、受付部１３３は、提供部１３２によって提供される販売サービスを利用する広告主端末１０から広告枠に関する権利の購入要求を受け付ける。このとき、受付部１３３は、購入要求を受け付けた広告主端末１０に対して、広告枠に関する権利を取得した旨を送信する。そして、受付部１３３は、権利を取得した広告主端末１０に対応する広告主ＩＤと広告枠ＩＤとを対応付けて広告コンテンツ記憶部１２２に記憶する。
【００６４】
また、受付部１３３は、権利を取得した広告主端末１０から、広告コンテンツの入稿を受け付ける。そして、受付部１３３は、取得された広告枠にかかる広告枠ＩＤと、入稿された広告コンテンツを識別するための広告コンテンツＩＤとを関連付け、広告枠関連情報として広告コンテンツ記憶部１２２に記憶する。
【００６５】
〔３−９．変換部〕
変換部１３４は、入稿された広告コンテンツに変換処理を行う。具体的には、変換部１３４は、広告枠関連情報とともに広告コンテンツを映画館に配信する前に、上映される映画館の上映設備にかかる広告コンテンツが適合するか否かを検出し、適合しない場合は、適切な形式にかかる広告コンテンツを変換する。
【００６６】
例えば、変換部１３４は、入稿された広告コンテンツである動画像を、デジタルシネマ上映用のデータフォーマットであるＤＣＰ（digital  cinema  package）に変換する。そして、変換部１３４は、適切な形式に変換された広告コンテンツを後述する配信部１３５に提供する。
【００６７】
一般的には、広告主は広告コンテンツの入稿に際し、入稿先の設備に対応した形式で広告コンテンツを入稿することが求められる。一方、実施形態に係る変換部１３４は、配信先の映画館に合わせて入稿された広告コンテンツを変換処理するため、広告主は、受付部１３３が受け付けることのできる所定の形式で広告コンテンツを入稿しさえすれば、配信先に合わせた形式の広告コンテンツを準備することを要しない。
【００６８】
〔３−１０．配信部〕
配信部１３５は、提供部１３２によって提供された販売サービスにおいて、広告枠に関する権利を取得した広告主に対応する広告コンテンツと広告枠に関する情報とを関連付けた広告枠関連情報を映画館装置２０に配信する。
【００６９】
ここで、提供部１３２が広告主から提供条件の指定をさせ、指定された提供条件を満たす広告枠に関する販売サービスを提供した場合、配信部１３５は、かかる提供条件を満たす広告枠に関する権利を取得した広告主に対応する広告コンテンツと広告枠に関する情報とを関連付けた広告枠関連情報を映画館装置２０に配信する。
【００７０】
また、実施形態に係る配信部１３５は、上記の広告枠関連情報とともに、実際に映画館で配信される広告コンテンツを映画館に配信する。具体的には、配信部１３５は、広告コンテンツ記憶部１２２に記憶された、広告枠に対応付けられた動画像などの広告コンテンツを、映画館で広告コンテンツが配信される所定の時刻前（例えば４８時間前など）に、通信部１１０を介して映画館装置２０に配信する。
【００７１】
なお、配信部１３５は、変換部１３４によって適切な形式に変換された広告コンテンツがある場合は、かかる変換された広告コンテンツを映画館装置２０に配信する。
【００７２】
〔３−１１．算定部〕
算定部１３６は、提供部１３２の提供する販売サービスにおいて、広告枠に入札した広告主に課金する料金を算定する。具体的には、実施形態に係る算定部１３６は、広告枠記憶部１２１に記憶された広告枠ＩＤと、かかる広告枠の入札価格と、広告コンテンツ記憶部１２２に記憶された広告主ＩＤとを参照することにより、広告主に課金する料金を算定する。
【００７３】
〔４．映画館装置の構成〕
次に、図６を用いて、実施形態に係る映画館装置２０の構成について説明する。図６は、実施形態に係る映画館装置２０の構成例を示す図である。図６に示すように、映画館装置２０は、通信部２１０と、枠情報記憶部２２１と、広告情報記憶部２２２と、制御部２３０とを有する。なお、映画館装置２０は、映画館装置２０を利用する管理者等から各種操作を受け付ける入力部や、各種情報を表示するための表示部を有してもよい。
【００７４】
通信部２１０は、例えば、ＮＩＣ等によって実現される。通信部２１０は、ネットワークＮと有線又は無線で接続され、ネットワークＮを介して、広告装置１００や広告主端末１０との間で情報の送受信を行う。
【００７５】
枠情報記憶部２２１及び広告情報記憶部２２２は、例えば、ＲＡＭ、フラッシュメモリ等の半導体メモリ素子、または、ハードディスク、光ディスク等の記憶装置によって実現される。
【００７６】
枠情報記憶部２２１は、広告枠に関する情報を記憶する。ここで、枠情報記憶部２２１の記憶する広告枠に関する情報は、図４に示す広告枠記憶部１２１が記憶する情報に対応する。すなわち、枠情報記憶部２２１の記憶する広告枠に関する情報とは、取得部１２１へ送信する情報を意味する。例えば、枠情報記憶部２２１は、図４に例示した「映画館」、「スクリーン」、「座席数」、「本編タイトル」、「配信日程」、「広告枠ＩＤ」、「配信時間」といった広告枠にかかる情報を記憶する。
【００７７】
広告情報記憶部２２２は、配信部１３５から配信される情報を記憶する。すなわち、広告情報記憶部２２２の記憶する情報は、図５に示す広告コンテンツ記憶部１２２の記憶する情報に対応する。具体的には、広告情報記憶部２２２は、広告主端末１０から入稿された広告コンテンツと、かかる広告コンテンツの広告枠関連情報を記憶する。例えば、広告情報記憶部２２２は、図５に例示した「広告枠ＩＤ」、「広告主ＩＤ」、「広告コンテンツＩＤ」といった広告コンテンツに関する情報を記憶する。
【００７８】
制御部２３０は、例えば、ＣＰＵやＭＰＵ等によって、映画館装置２０内部の記憶装置に記憶されている各種プログラムがＲＡＭを作業領域として実行されることにより実現される。また、制御部２３０は、例えば、ＡＳＩＣやＦＰＧＡ等の集積回路により実現される。
【００７９】
送信部２３１は、映画とともに提供される広告コンテンツにかかる広告枠に関する情報を、広告枠に関する販売サービスを提供する広告装置１００に送信する。具体的には、送信部２３１は、枠情報記憶部２２１に記憶されている広告枠に関する情報を広告装置１００に送信する。
【００８０】
受信部２３２は、広告枠に関する情報を受信した広告装置１００から、広告枠に関する権利を取得した広告主に対応する広告コンテンツと、広告枠に関する広告枠情報とを関連付けた関連情報を受信する。具体的には、受信部２３２は、配信部１３５から配信された広告コンテンツ記憶部１２２に記憶されている広告コンテンツに関する情報を受信する。また、受信部２３２は、受信した広告コンテンツに関する情報を広告情報記憶部２２２に記憶する。
【００８１】
提供部２３３は、広告情報記憶部２２２に記憶されている広告コンテンツに関する情報に基づいて、映画館に備えらえる上映設備（例えばビデオプロジェクタ）に広告コンテンツを送信することで、映画館で広告コンテンツを提供する。具体的には、提供部２３３は、広告枠関連情報に基づいて広告コンテンツの上映場所や上映日時を検出し、適切なタイミングで広告コンテンツを上映設備に送信する。そして、提供部２３３は、上映設備を用いてスクリーンに広告コンテンツを投影させることで、映画館に来場した観客に広告コンテンツを提供する。
【００８２】
〔５．配信処理手順〕
次に、図７、図８を用いて、実施形態に係る広告装置１００による配信処理の手順について説明する。図７、図８は、広告装置１００による配信処理の手順を示すフローチャートである。以下においては、図７を参照して広告装置１００による広告枠の販売サービスにかかる提供処理を説明し、図８を参照して広告装置１００による広告枠と広告コンテンツとの対応情報にかかる配信処理を説明する。
【００８３】
まず、図７を用いて、実施形態に係る広告装置１００による広告枠の販売サービスにかかる提供処理について説明する。図７は、実施形態に係る広告装置１００による広告枠の販売サービスにかかる提供処理手順を示すフローチャートである。
【００８４】
図７に示すように、提供部１３２は、広告枠に関する情報について、広告主端末１０からアクセスがあったか否かを判定する（ステップＳ１０１）。そして、取得部１３１は、広告主端末１０からアクセスのない場合（ステップＳ１０１；Ｎｏ）、広告主端末１０からアクセスのあるまで待機する。
【００８５】
一方、広告主端末１０からアクセスのあった場合（ステップＳ１０１；Ｙｅｓ）、提供部１３２は広告枠に関する情報を広告主端末１０に提示する（ステップＳ１０２）。
【００８６】
その後、受付部１３３は、広告主端末１０から、広告枠に関する権利の取得についての要求を受け付けたか否かを判定する（ステップＳ１０３）。そして、受付部１３３は、要求を受け付けていない場合（ステップＳ１０３；Ｎｏ）、要求を受け付けるまで待機する。
【００８７】
一方、受付部１３３が広告枠に関する権利の取得について要求を受け付けた場合（ステップＳ１０３；Ｙｅｓ）、受付部１３３は、要求に基づいて広告枠に関する権利を取得する広告主端末１０を決定する（ステップＳ１０４）。そして、受付部１３３は、広告枠に関する権利を取得した広告主端末１０について、かかる広告枠と広告主端末１０に関する情報を対応付けて、広告コンテンツ記憶部１２２に記憶する（ステップＳ１０５）。以上により、広告装置１００による、広告主端末１０に対する広告枠に関する権利の提供処理は完了する。
【００８８】
次に、図８を用いて、実施形態に係る広告装置１００による広告枠関連情報にかかる配信処理を説明する。図８は、実施形態に係る広告装置１００による広告枠関連情報にかかる配信処理手順を示すフローチャートである。
【００８９】
図８に示すように、受付部１３３は、広告枠に関する権利を取得した広告主端末１０から、かかる広告枠にて配信する広告コンテンツについての入稿を受け付けたか否かを判定する（ステップＳ２０１）。そして、受付部１３３は、入稿を受け付けていない場合（ステップＳ２０１；Ｎｏ）、入稿を受け付けるまで待機する。
【００９０】
一方、受付部１３３によって、かかる入稿が受け付けられた場合（ステップＳ２０１；Ｙｅｓ）、受付部１３３は、入稿された広告コンテンツと広告枠関連情報とを広告コンテンツ記憶部１２２に記憶する（ステップＳ２０２）。
【００９１】
その後、変換部１３４は、広告枠関連情報と広告コンテンツとを参照し、広告コンテンツの配信先である映画館の上映設備と、広告コンテンツが適合するかを検出する。すなわち、変換部１３４は、広告コンテンツに対する変換処理が必要か否かを判定する（ステップＳ２０３）。そして、変換部１３４は、変換処理が必要でない場合（ステップＳ２０３；Ｎｏ）、広告コンテンツを変換する処理を行わない。
【００９２】
一方、変換部１３４によって、変換処理が必要であると判定された場合（ステップＳ２０３；Ｙｅｓ）、変換部１３４は、かかる広告コンテンツを、映画館の上映設備に適合するよう必要な変換処理を行う（ステップＳ２０４）。
【００９３】
その後、配信部１３５は、広告枠関連情報と広告コンテンツとを、映画館へ配信する時刻を経過したか否かを判定する（ステップＳ２０５）。そして、配信部１３５は、映画館へ配信する時刻を経過していない場合（ステップＳ２０５；Ｎｏ）、映画館へ配信する時刻を経過するまで待機する。
【００９４】
一方、配信部１３５によって、映画館へ配信する時刻を経過したと判定された場合（ステップＳ２０５；Ｙｅｓ）、配信部１３５は、映画館に配信する広告コンテンツと、広告枠関連情報とを確定する（ステップＳ２０６）。
【００９５】
そして、配信部１３５は、広告コンテンツと広告枠関連情報とを、映画館装置２０に配信する（ステップＳ２０７）。以上により、広告装置１００による、映画館への広告枠関連情報にかかる配信処理は完了する。
【００９６】
〔６．変形例〕
上述した広告装置１００は、上記実施形態以外にも種々の異なる形態にて実施されてよい。そこで、以下では、広告装置１００の他の実施形態について説明する。
【００９７】
〔６−１．広告枠の指定〕
上述した実施形態に係る配信処理において、広告装置１００は、広告枠に関する情報として、広告枠にかかる映画のタイトルや、映画館の場所や、配信日程などを広告主端末１０に提示し、かかる情報をもとに広告主端末１０から提供条件の指定を受け、広告枠の販売サービスを提供する例を示した。しかし、広告装置１００は、さらに異なる情報を提示し、広告主端末１０に広告枠の販売サービスを提供してもよい。
【００９８】
以下に、提供部１３２が広告枠の販売サービスに関する情報として提示する例について説明する。例えば、提供部１３２は、映画館自体に関する情報や、映画館における観客に関する情報や、映画自体のコンテンツ情報を広告枠の販売サービスに関する情報として提示する。
【００９９】
例えば、提供部１３２は、映画館自体に関する情報として座席数に関する情報を広告主端末１０に提示し、座席数に関する提供条件を指定させ、かかる提供条件を満たす広告枠の販売サービスを提供してもよい。ここで、座席数は、どのくらいの人数が映画館で提供される広告コンテンツを視聴するかを示す指標となりうる。したがって、座席数の多いスクリーンにかかる広告枠で広告コンテンツが提供されるほど、かかる広告コンテンツによる広告効果が高いものと推測できる。
【０１００】
また、提供部１３２は、座席数に関する情報を提示することにより、より広告主からの詳細な要望に応じることもできる。例えば、広告主端末１０が、広告コンテンツを視聴する人数を指定して広告配信を行いたい場合が考えられる。具体的には、ある日時において所定の人数に広告コンテンツを視聴させたいといった要望が広告主にある場合、提供部１３２は、座席数に関する情報を提示することにより、取得させる広告枠の数を調整することなども可能である。
【０１０１】
その他、提供部１３２は、映画館自体に関する情報として、映画館において提供される映画の傾向又はジャンル（例えばファミリー向けの映画を中心に上映する映画館や、個性的な映画を中心に上映する映画館など）や、映画館を運営する運営会社や、大型映画館において映画を同時に提供可能なスクリーン数や、映画館内でのスクリーンの指定（例えば、立体映像を上映できる特殊効果のあるスクリーンなど）などの情報を提示することができる。提供部１３２は、上記の情報を提示することで広告主端末１０に広告枠にかかる条件を指定させ、広告枠の販売サービスを提供することができる。
【０１０２】
続いて、提供部１３２が提示する映画館における観客に関する情報について、具体例を挙げて説明する。例えば、提供部１３２は、予測動員数を算定し、かかる情報を広告主端末１０に提示することもできる。
【０１０３】
ここで、予測動員数を求めるための指標は様々な例が考えられる。例えば、提供部１３２は、映画館における動員数の前年度実績値や、広告枠が組み込まれる映画の人気や前評判や、他の国での先行上映の動員数などに基づいて、予測動員数を求める。また、提供部１３２は、ＳＮＳ（Social  Networking  Service）でのコンテンツに関する投稿数、コンテンツに関するＷｅｂ検索による検索数、又は、新聞や雑誌、テレビなどのメディアにより紹介された回数等についてネットワークＮを介して取得し、かかる数を指標として予測動員数を求めることもできる。さらに、提供部１３２は、映画のカテゴリやキャストなど各種情報と過去の動員数の実績との関係を参照することにより、予測動員数を求めてもよい。なお、提供部１３２は、予測動員数を映画の封切り後に変動させてもよい。例えば、提供部１３２は、映画封切り直後の動員数や、動員数の伸び率などを指標として、先の上映の予測動員数を求めてもよい。また、予測動員数は、広告装置１００に限られず、映画館（例えば、映画館装置２０）によって、動員数の前年度実績値や映画の人気や前評判などに基づいて求められてもよい。なお、上記の予測動員数は、提供部１３２に限られず、制御部１３０を構成する他の部によって求められてもよい。
【０１０４】
そして、提供部１３２は、広告枠に関する情報として求めた予測動員数を広告主端末１０に提示するとともに、広告枠の販売サービスを提供する。したがって、広告主端末１０は、予測動員数に関する情報に基づいて、提供部１３２の提供する販売サービスにおいて広告枠を取得することができる。
【０１０５】
その他、提供部１３２は、上記の予測動員数に限られず、観客に関する情報として、映画館における実際の動員数や、観客の属性などの情報を提示することもできる。提供部１３２は、上記の情報を提示することで広告主端末１０に広告枠にかかる条件を指定させ、広告枠の販売サービスを提供することができる。
【０１０６】
さらに、提供部１３２は、広告枠の販売サービスに関する情報として、映画のコンテンツ情報をさらに提示することもできる。例えば、提供部１３２は、上記実施形態で述べたような映画の内容に関する情報に加えて、映画の制作者に関する情報を広告枠の販売サービスに関する情報として提示する。
【０１０７】
例えば、提供部１３２は、映画の制作者に関する情報として、映画の制作者や、監督や、配給会社や、制作者の国籍や、同一制作者による他の映画の動員実績などの情報を提示する。
【０１０８】
これにより、広告装置１００は、より高い広告効果を発揮すると推測される広告枠の販売サービスを提供することができるため、広告主の求める広告効果に見合う広告配信を高い確率で実現することができる。
【０１０９】
なお、取得部１３１は、映画館装置２０が映画の上映予定に基づいて送信する情報として、上記のような広告枠に関する情報を取得する。具体的には、取得部１３１は、映画館における映画の上映の所定時間前（例えば一週間前など）に、映画館装置２０から広告枠に関する情報を取得する。しかし、取得部１３１が広告枠に関する情報を取得するタイミングは上記に限られない。例えば、取得部１３１は、映画館装置２０が映画館における広告枠の空き状況に基づいて送信する広告枠に関する情報を取得する場合もありうる。具体的には、映画館装置２０の管理者が独自に広告枠を販売している場合であって、その販売状況が芳しくない場合（例えば広告枠が売れ残りそうな場合など）などが想定される。この場合、映画館装置２０は、取得部１３１に広告枠に関する情報を送信することにより、広告枠の販売を促進させることがありうる。
【０１１０】
また、提供部１３２は、取得部１３１により取得された広告枠に関する情報に基づいて広告枠に関する販売サービスを提供するが、販売される広告枠は、映画館装置２０により予め設定されるものには限られない。例えば、提供部１３２は、取得部１３１により取得された広告枠に関する情報に基づいて、独自に広告枠を編成することによって広告枠を販売するサービスを提供することもできる。具体例として、取得部１３１が映画館装置２０から１５分の時間長の広告枠を取得したとする。この場合、提供部１３２は、１５分の時間長である広告枠を、５分の時間長をもつ３つの広告枠に分け、３つの広告枠として広告主に販売することができる。また、提供部１３２は、取得部１３１が取得した広告枠について、広告主の指定を受けて映画館で広告コンテンツを提供できる広告枠として販売するサービスを提供することもできる。この場合、提供部１３２は、秒単位で広告主に広告枠を販売するサービスを提供することができる。これにより、広告主は、時間長を指定して映画館で広告コンテンツを提供することのできる広告枠を取得することができる。
【０１１１】
また、提供部１３２は、上記のように広告枠を編成して販売サービスを提供する他に、広告枠に関する権利の販売期間に応じて販売価格が変動する販売サービスを提供することもできる。例えば、取得部１３１が、上記のように、映画館装置２０の管理者が独自に広告枠を販売している場合であって、その販売状況が芳しくない場合に、広告枠に関する情報を取得したとする。この場合、かかる広告枠については、広告コンテンツの提供までの期間が短くなることが想定される。このような場合、提供部１３２は、販売期間に応じて販売価格を安くすることができる。言い換えれば、提供部１３２は、広告コンテンツの提供までの期間が短い広告枠について販売価格を抑えることができる。これにより、提供部１３２は、広告枠の販売を促進させるとともに、広告主の満足度を向上させることができる。なお、この場合、提供部１３２は、広告枠を無料で広告主に提供することもありうる。
【０１１２】
〔６−２．禁止事項〕
上述した実施形態に係る配信処理において、広告装置１００は、広告枠に関する情報として、広告枠にかかる映画のタイトルや、映画館の場所や、配信日程などを広告主端末１０に提示し、広告主端末１０から条件の指定を受け、広告枠の販売サービスを提供する例を示した。しかし、広告装置１００は、さらに異なる情報を提示し、広告主端末１０に広告枠の販売サービスを提供してもよい。例えば、広告装置１００は、任意の広告枠において配信すべきでない広告コンテンツの内容を予め設定し、かかる情報を広告主端末１０に提示してもよい。この点について、図９を用いて説明する。
【０１１３】
図９は、変形例に係る広告枠記憶部１２１の一例を示す図である。なお、図４と対応する項目については、説明を省略する。図９に示した例において、変形例に係る広告枠記憶部１２１は、「禁止事項」の項目を有する。
【０１１４】
「禁止事項」は、かかる広告枠において、配信すべきでない広告コンテンツの内容や、入札することのできない広告主を示す。図９では、広告枠「Ｃ１１１」において、「酒類」及び「たばこ類」が禁止事項として設定されている例を示す。例えば、本編タイトル「Ｍ１」である映画が子供向けの内容であった場合、広告コンテンツとして、酒類やたばこ類を宣伝する内容を提供することはできない。かかる場合、「酒類」及び「たばこ類」が予め禁止事項として設定される。
【０１１５】
また、図９では、広告枠「Ｃ１２１」において、「広告主Ａ」が禁止事項として設定されている例を示す。例えば、本編タイトル「Ｍ２」である映画が、広告主Ａと競争関係にある事業者によって配給される作品である場合、広告枠「Ｃ１２１」において広告主Ａによる広告コンテンツが提供されることは望ましくない。かかる場合、「広告主Ａ」が予め禁止事項として設定される。
【０１１６】
また、図９では、広告枠「Ｃ２１１」において、「酒類」、「たばこ類」及び「広告主Ｂ」が禁止事項として設定されている例を示す。上記のように、本編タイトル「Ｍ１」である映画では、「酒類」及び「たばこ類」が禁止事項として設定されるのに加え、例えば、映画館「ＴＨ２」が広告主Ｂと競争関係にある事業者により運営されている場合、広告枠「Ｃ２１１」において広告主Ｂによる広告コンテンツが提供されることは望ましくない。かかる場合、「酒類」、「たばこ類」及び「広告主Ｂ」が予め禁止事項として設定される。
【０１１７】
なお、禁止事項は、映画館装置２０の管理者が設定してもよいし、広告装置１００の管理者が設定してもよい。具体的には、取得部１２１は、映画館装置２０の管理者が予め禁止事項を設定している場合には、禁止事項の項目を含む広告枠に関する情報を映画館装置２０から取得する。そして、提供部１２２は、映画館装置２０から取得した禁止事項の項目を含む広告枠に関する情報に基づいて、禁止事項の項目を含んだ広告枠を設定する。また、広告装置１００の管理者が設定する場合には、広告装置１００の管理者は、広告装置１００の有する入力装置を用いて、禁止事項に関する情報を広告装置１００に入力する。これにより、取得部１２１は、入力された禁止事項に関する情報を取得する。そして、提供部１２２は、入力された禁止事項に関する情報に基づいて、広告枠を設定する。ここで、禁止事項は、法的な要請により定まるものでもよいし、慣習的な要請によるものでもよい。
【０１１８】
これにより、広告主は、広告枠の取得に際して、提供しようとする広告コンテンツの内容に沿うよう、適切な広告枠を抽出して取得することができる。このため、広告装置１００は、広告のターゲティングのミスマッチなどを発生しにくくさせることができる。
【０１１９】
〔６−３．課金体系１〕
上述した実施形態に係る配信処理において、広告装置１００は、広告枠に関する情報として入札価格を提示し、広告主端末１０から広告枠に対する入札を受け付ける例を示した。しかし、広告装置１００は、異なる手法により、広告枠に対する入札を受け付けてもよい。この点について、図１０を用いて説明する。
【０１２０】
図１０は、変形例に係る広告コンテンツ記憶部１２２の一例を示す図である。なお、図５と対応する項目については、説明を省略する。図１０に示した例において、変形例に係る広告コンテンツ記憶部１２２は、「指定入札価格」の項目を有する。
【０１２１】
「指定入札価格」は、広告主端末１０が広告枠に対する入札に際して指定する入札価格を示す。この場合において、広告主端末１０は、予め広告枠に関する情報として入札価格の提示を受けていないものとする。
【０１２２】
ここで、受付部１３３は、広告主端末１０の指定する入札価格とともに、広告枠に関する入札を受け付ける。そして、受付部１３３は、広告主端末１０の指定する入札価格と、入札対象である広告枠を対応付けて、広告コンテンツ記憶部１２２に記憶する。
【０１２３】
すなわち、図１０において、広告主「ＣＬ２１」は、入札価格「１２０００円」を提示して、広告枠「Ｃ１１１」に対して入札した例を示している。また、広告主ＣＬ２１は、入札後、広告コンテンツＩＤ「Ａ２１」で識別される広告コンテンツを入稿している。同様に、広告主「ＣＬ２２」は、入札価格「８０００円」を提示して、広告枠「Ｃ１１１」に対して入札し、広告コンテンツＩＤ「Ａ２２」で識別される広告コンテンツを入稿している。同様に、広告主「ＣＬ２３」は、入札価格「１００００円」を提示して、広告枠「Ｃ１１１」に対して入札し、広告コンテンツＩＤ「Ａ２３」で識別される広告コンテンツを入稿している。
【０１２４】
この場合、所定の時刻が経過した時点で、受付部１３３は、広告枠Ｃ１１１を取得する広告主を決定する。具体的には、受付部１３３は、最も高い金額を提示して入札した広告主ＣＬ２１を、広告枠Ｃ１１１を取得した広告主として決定する。そして、配信部１３５は、広告枠「Ｃ１１１」と、広告コンテンツＩＤ「Ａ２１」により識別される広告コンテンツとを対応付けた広告枠関連情報を映画館装置２０に配信する。その後、算定部１３６は、広告主ＣＬ２１に対し、提示された入札価格である「１２０００円」を課金する。
【０１２５】
これにより、広告装置１００は、予め入札価格を設定しなくとも、広告主端末１０に対して広告枠を提供することができる。また、広告主にとっては、他の広告主よりも高い入札価格を指定することにより、より確実に所望する広告枠を取得することができるという利点がある。
【０１２６】
〔６−４．課金体系２〕
広告装置１００は、さらに異なる手法により、広告枠に対する入札を受け付けてもよい。例えば、広告装置１００は、予め広告主から広告コンテンツの提供にかかる広告料金を予算として受領しておき、広告配信の度に予算から減額していく、いわゆる前課金方式により、広告枠に対する入札を受け付けてもよい。
【０１２７】
この場合、広告装置１００は、広告コンテンツの広告料が広告予算に到達した場合には、かかる広告コンテンツを映画館装置２０に配信しないように制御する。この場合、広告装置１００は、広告料が広告予算に到達した広告コンテンツの広告主に対して、広告予算を増大させるか否かを問い合わせもよい。また、広告装置１００は、広告料が広告予算に到達することで広告枠が余った場合には、他の広告主に対して販売サービスを提供してもよい。
【０１２８】
〔６−５．課金体系３〕
広告装置１００は、さらに異なる手法により、広告枠に対する入札を受け付けてもよい。例えば、広告装置１００は、広告枠について入札額を設定せずに、実際の動員数に基づいて広告主に課金することもできる。具体的には、広告装置１００は、任意の広告枠での広告コンテンツの提供後に、映画館から実際の動員数に関する情報について提供を受ける。
【０１２９】
例えば、映画館（例えば、映画館装置２０）は、チケットを販売する販売端末から得られる情報に基づいて、動員数を求めることができる。ただし、この例に限られず、映画館には、例えば、映画館に実際に来場した観客の情報を取得するための観客情報取得装置が設けられる。この観客情報取得装置は、例えば、カメラ、アクセスポイントなどの少なくとも一つ以上の機器に該当する。観客情報取得装置にカメラが含まれる場合には、このカメラは、例えば、映画館内を撮像する。これにより、映画館装置２０は、観客情報取得装置により撮像された画像から動員数を求めることができる。また、観客情報取得装置にアクセスポイントが含まれる場合には、このアクセスポイントは、Ｗｉｆｉ（Wireless  Fidelity）などの無線通信により、個々の観客が保持する携帯端末と通信する。これにより、映画館装置２０は、観客情報取得装置と通信された携帯端末の台数を係数することで動員数を求めることができる。
【０１３０】
そして、算定部１３６は、上記の手法で得られた実際の動員数に関する情報を映画館装置２０から取得し、実際の動員数と予め設定した動員単価から、広告枠の取得にかかる料金を算定し、広告主に課金する。
【０１３１】
〔６−６．評判〕
上述した実施形態に係る配信処理において、広告装置１００は、映画館装置２０から広告枠に関する情報の提供を受け、映画館装置２０に広告コンテンツと広告枠関連情報を配信する例を示した。しかし、広告装置１００は、映画館以外で広告コンテンツを提供し、その評判に基づいて映画館装置２０に配信する広告コンテンツを選定してもよい。この点について図１１を用いて説明する。
【０１３２】
図１１は、変形例に係る配信処理の一例を示す図である。図１１では、変形例に係る配信装置に対応する広告装置１００によって広告の配信処理が行われる例を示す。なお、図１１に示すステップＳ２０、ステップＳ２１及びステップＳ２２は、図１に示すステップＳ１０、ステップＳ１１及びステップＳ１２に対応するため、説明を省略する。また、図１１において、ユーザ端末３０は、例えば、タブレット型端末や、携帯電話機、ＰＤＡ等であり、ウェブページの閲覧や、ウェブサーバに対して広告配信の要求などを行う。また、検索エンジンサーバ４０はウェブサーバであり、例えばユーザ端末３０から検索クエリを受け付け、検索結果をユーザ端末３０に返すサービスを行う。また、ＳＮＳサーバ４１はウェブサーバであり、ＳＮＳの提供を行う。なお、図１１に示す例では、広告主ＣＬ１１が、広告枠Ｃ１１１に、広告コンテンツＡ１１を入稿しているものとする。ここで、広告コンテンツＡ１１とは、ウェブ配信に対応する動画像からなる広告コンテンツである。
【０１３３】
図１１に示した例において、広告装置１００がウェブサーバである場合、広告装置１００は映画館で提供される広告コンテンツに限られず、ウェブページ用に広告コンテンツを配信する。図１１では、広告装置１００は、ユーザ端末３０から広告コンテンツＡ１１にかかる配信要求を受け付ける例を示す。広告装置１００はかかる配信要求を受け付け、ウェブページに対応する広告コンテンツＡ１１をユーザ端末３０に配信する（ステップＳ３３）。
【０１３４】
広告コンテンツＡ１１の配信を受けたユーザ端末３０のユーザは、広告コンテンツＡ１１に対して興味を抱いた場合、何らかの反応を示すことが想定される。例えば、ユーザ端末３０は、ユーザの操作に従って、広告コンテンツＡ１１により宣伝される商品名や、広告コンテンツＡ１１を配信する事業者である広告主ＣＬ１１の名称を検索クエリとして検索エンジンサーバ４０が提供する検索サービスを利用する。また、ユーザ端末３０は、広告コンテンツＡ１１により宣伝される商品名や、広告コンテンツＡ１１を配信する事業者である広告主ＣＬ１１の名称に関する記事をＳＮＳサーバ４１が提供するＳＮＳに投稿する（ステップＳ２４）。
【０１３５】
そして、広告装置１００は、検索エンジンサーバ４０やＳＮＳサーバ４１から、広告コンテンツＡ１１の評判についての情報を取得する（ステップＳ２５）。具体的には、広告装置１００は、検索エンジンサーバ４０にアクセスすることで、広告コンテンツＡ１１により宣伝される商品名や、広告コンテンツＡ１１を配信する事業者である広告主ＣＬ１１の名称について検索クエリの数を取得する。また、広告装置１００は、ＳＮＳサーバ４１にアクセスすることで、広告コンテンツＡ１１に関する投稿記事の数を取得する。例えば、広告装置１００は、検索クエリの数や投稿記事の数が多いほど、広告コンテンツＡ１１の評判がよいと判定する。
【０１３６】
その後、広告装置１００は、上記の評判に基づいて映画館装置２０に配信する広告コンテンツを選定する。例えば、広告コンテンツＡ１１に対する評判がよく、広告効果が高いと判定された場合、広告装置１００は、広告コンテンツＡ１１と、広告枠Ｃ１１１に対応する広告枠関連情報とを映画館装置２０に配信する（ステップＳ２６）。
【０１３７】
一般に、広告コンテンツの広告効果は、公衆に提供され評価を得るまでは判定ができないことが多い。例えば、広告コンテンツが優れた映像作品であったとしても、広告としての宣伝効果が公衆にどれだけ受け入れられるかは未知数である。
【０１３８】
また、例えば映画館で提供される広告コンテンツは、ウェブページで配信される広告コンテンツと異なり、ユーザによるクリック操作などの反応を受けることができない。このため、実際に映画館で提供される広告コンテンツは、配信されることで広告対象（例えば、企業や商品など）の認知度を向上させることができる広告コンテンツであることが望ましい。認知度を向上させることができる広告コンテンツほど、視聴によるブランディング効果を向上させることができ広告コンテンツであるので、ユーザによるクリック操作などを受けることができない映画館での広告コンテンツとして望ましい。
【０１３９】
すなわち、変形例に係る広告装置１００は、映画館に配信する前の段階において、ウェブネットワークを介して広告コンテンツの認知度に関する評価を得ることによって、映画館で提供するのが望ましい広告コンテンツを選定することを可能とする。
【０１４０】
ここで、広告装置１００は、同一広告主から予め数種の広告コンテンツについて入稿を受け付けておいてもよい。例えば、広告装置１００は、映画館で広告コンテンツを提供する前に、数種の広告コンテンツをウェブページに配信することで、かかる広告コンテンツの評判を打診する。これにより、広告装置１００は、入稿された数種の広告コンテンツの中から最も認知度の高い広告コンテンツを選定して、映画館装置２０に配信することができる。
【０１４１】
また、例えば、広告装置１００は、映画館で提供する予定である広告コンテンツについてウェブページに配信することで評判を打診する。そして、広告装置１００は、広告コンテンツの認知度に関する評価を取得した後に、かかる評価を広告主に通知してもよい。これにより、広告装置１００は、かかる評価が芳しくない場合に、広告主に対して入稿した広告コンテンツの変更を促すことができる。
【０１４２】
以上のように、上記変形例に係る広告装置１００は、より広告対象の認知度を向上させると推認される広告コンテンツを選定して、映画館側に広告コンテンツを配信することができる。このため、上記変形例に係る広告装置１００は、配信する広告コンテンツの広告効果を高めることができる。
【０１４３】
なお、上記変形例において、ウェブに配信するコンテンツは、映画館に配信する広告コンテンツと同一のものには限られない。例えば、ウェブに配信するコンテンツは、映画館に配信するコンテンツと同一広告主によって提供されるコンテンツであったり、映画館に配信するコンテンツについてウェブ用に時間長を短く編成したものであったりしてもよい。この場合、ウェブに配信するコンテンツは、上記変形例のように、配信部１３５によって配信されるとは限らず、任意の別のウェブサーバから配信されたものであってもよい。
【０１４４】
また、上記変形例におけるウェブページには、いわゆるデスクトップ型ＰＣ用のウェブページに限られず、タブレット型端末や、携帯電話機、ＰＤＡ等用に配信されるウェブページも含まれる。さらに、上記変形例におけるウェブページには、タブレット型端末用のアプリケーションなどによって提供されるサービス（例えば、ネットワークを利用した動画提供アプリケーション）によって表示されるコンテンツも含まれるものとする。
【０１４５】
〔６−７．管理装置〕
上述した実施形態に係る配信処理において、広告装置１００は、映画館装置２０から広告枠に関する情報の提供を受け、映画館装置２０に広告コンテンツと広告枠関連情報を配信する例を示した。しかし、広告装置１００は、映画館装置２０とではなく、例えば、複数の映画館装置２０を管理する中央映画館管理装置６０に対して、同様の処理を行うことができる。この点について図１２を用いて説明する。なお、以下では、複数の映画館装置２０の例として、映画館装置２１、映画館装置２２を挙げて説明する。
【０１４６】
図１２は、変形例に係る配信処理の一例を示す図である。図１２では、変形例に係る配信装置に対応する広告装置１００によって広告の配信処理が行われる例を示す。図１２において、映画館管理装置６０は、複数の映画館装置２０を集中的に管理するサーバ装置であり、例えば、管理する映画館装置２１と映画館装置２２にかかる広告枠に関する情報などを記憶する。なお、図示は省略するが、映画館管理装置６０は、さらに多くの映画館装置２０を管理していてもよい。
【０１４７】
図１２に示した例では、広告装置１００は、映画館管理装置６０から広告枠に関する情報について提供を受け、かかる情報を取得する（ステップＳ３０）。なお、図１２に示すステップＳ３１及びステップＳ３２は、図１におけるステップＳ１１及びステップＳ１２に対応するため、説明を省略する。
【０１４８】
そして、広告装置１００は、入稿された広告コンテンツとともに、広告枠関連情報を映画館管理装置６０に配信する（ステップＳ３３）。映画館管理装置６０は、広告装置１００から取得された広告枠関連情報に基づいて、映画館１に備えられた映画館装置２１に、広告コンテンツを配信する（ステップＳ３４）。同様に、映画館管理装置６０は、映画館２に備えられた映画館装置２２に、広告コンテンツを配信する（ステップＳ３５）。映画館装置２１は、配信された広告コンテンツをビデオプロジェクタＰＲ１１〜１３に送信し、広告コンテンツを上映させる。映画館装置２２も同様に、配信された広告コンテンツをビデオプロジェクタＰＲ２１〜２３に送信し、広告コンテンツを上映させる。
【０１４９】
上記のように、広告装置１００は、映画館管理装置６０に対して一連の配信処理を行うことによって、上述した実施形態に係る配信処理と同様に、映画館で広告コンテンツを提供することができる。
【０１５０】
この場合、実施形態に係る配信処理に比べ、広告装置１００による配信処理を簡略化できる。具体的には、上述した実施形態に係る配信処理において、広告装置１００が複数の映画館における広告枠に関する情報を取得するためには、複数の映画館装置２０から情報を取得する必要がある。また、広告装置１００は、広告枠関連情報を、それぞれ対応する映画館装置２０に配信する必要がある。
【０１５１】
一方、上記変形例に係る配信処理において、広告装置１００は、映画館管理装置６０との間で処理を行うことにより、複数の映画館装置２０に対して処理を行うことと同様の結果を得る。すなわち、実施形態に係る配信処理に比べ、広告装置１００は、一連の配信処理を簡略化できる。
【０１５２】
なお、映画館管理装置６０は、例えば、施設である映画館側（配給会社など）によって管理される。「施設」や「映画館」といった表記は、このような映画館管理装置６０を含む概念であるものとする。
【０１５３】
〔６−８．広告枠の位置〕
また、上記の実施形態では、広告枠が映画の本編前に組み込まれる例を示した。言い換えれば、上記の実施形態では、広告コンテンツが映画の本編前に上映される例を示した。しかし、広告コンテンツが上映されるタイミングは上記例に限られない。すなわち、広告コンテンツが映画とともに提供されるとは、映画の本編中に上映されてもよいし、映画の本編後に上映されてもよいことを意味する。
【０１５４】
〔６−９．コンテンツの例〕
また、上記の実施形態では、施設で提供される第１コンテンツとして映画を、第１コンテンツとともに提供される第２コンテンツが広告である例を示した。しかし、この例に限られず、各コンテンツは様々な態様があってもよい。例えば、第１コンテンツとしては、演劇、コンサートなど、観客を動員して行われる様々な催事が含まれてもよい。また、第２コンテンツとしては、個人クリエイタによって制作されたショートフィルムなどが含まれてもよい。この場合、ショートフィルムを制作した個人クリエイタが、第２コンテンツの提供主となりうる。これにより、広告装置１００は、映画館という空間において自身の制作したショートフィルム作品を上映したいという個人クリエイタのニーズに応えることができる。
【０１５５】
〔６−１０．広告枠の差し換え〕
また、上記の実施形態において、広告装置１００は、広告主から何度も広告コンテンツの入稿を受け付けてもよい。この場合、広告装置１００は、広告主から入稿された最新の広告コンテンツを映画館装置２０に配信する。これにより、映画に広告コンテンツを組み込む権利を購入した広告主は、広告コンテンツを差し替えることができる。
【０１５６】
〔６−１１．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５８】
例えば、上記実施形態においては、図２に示すように、広告主端末１０と、映画館装置２０と、広告装置１００とが含まれる配信システム１について例示したが、他の形態についても考えられる。例えば、配信システム１には、複数台の広告主端末１０を統括するような広告入札管理サーバ等が含まれてもよい。この場合、広告装置１００は、広告入札管理サーバに対して、広告枠に関する情報や、広告枠の販売サービスを提供する。
【０１５９】
また、例えば、図３に示した広告装置１００は、広告枠に関する情報を取得し、販売サービスを提供する提供装置と、広告コンテンツを配信する配信装置とに分散されてもよい。この場合、提供装置は、図３に示した配信部１３５を有しなくてもよい。また、配信装置は、図３に示した取得部１３１と提供部１３２と受付部１３３を有しなくてもよい。
【０１６０】
また、例えば、図３に示した広告枠記憶部１２１や広告コンテンツ記憶部１２２は、広告装置１００が保持せずに、図示しないストレージサーバ等が保持してもよい。この場合、広告装置１００は、広告枠記憶部１２１や広告コンテンツ記憶部１２２に記憶されている各種情報を取得する。
【０１６１】
また、例えば、映画館は、映画館で広告が上映されたことを示す情報を取得する装置を備える。具体的には、映画館には、実際に映画館で広告が流れている音声を集音する集音装置が設けられる。広告装置１００は、例えば、映画館装置２０から、かかる集音された音声データを受け付け、広告主に情報として提示することができる。これにより、広告装置１００は、取得した広告枠において実際に映画館で広告が上映されたか確認したいという広告主の要望に応えることができる。
【０１６２】
また、上述してきた各実施形態は、処理内容を矛盾させない範囲で適宜組み合わせることが可能である。
【０１６３】
〔６−１２．ハードウェア構成〕
また、上述してきた実施形態に係る広告装置１００は、例えば図１３に示すような構成のコンピュータ１０００によって実現される。以下、広告装置１００を例に挙げて説明する。図１３は、広告装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１６４】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１６５】
ＨＤＤ１４００は、ＣＰＵ１１００によって実行されるプログラム、及び、かかるプログラムによって使用されるデータ等を記憶する。通信インターフェイス１５００は、通信網５０（図２に示したネットワークＮに対応）を介して他の機器からデータを受信してＣＰＵ１１００へ送り、ＣＰＵ１１００が生成したデータを通信網５０を介して他の機器へ送信する。
【０１６６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１６７】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１６８】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、広告枠記憶部１２１及び広告コンテンツ記憶部１２２内のデータが記憶される。コンピュータ１０００のＣＰＵ１１００は、これらのプログラムを記録媒体１８００から読み取って実行するが、他の例として、他の装置から通信網５０を介してこれらのプログラムを取得してもよい。
【０１６９】
〔７．効果〕
上述してきたように、実施形態に係る広告装置１００は、映画館において映画（第１コンテンツの一例）とともに提供される広告コンテンツ（第２コンテンツの一例）にかかる広告枠の販売サービスを提供する提供部１３２と、提供部１３２によって提供された販売サービスにおいて広告枠に関する権利を取得した広告主に対応する広告コンテンツと、広告枠に関する情報とを関連付けた関連情報とを映画館側に配信する配信部１３５とを備える。
【０１７０】
これにより、実施形態に係る広告装置１００は、広告配信において、広告主の負担を軽減させることができる。
【０１７１】
また、実施形態に係る提供部１３２は、広告コンテンツを提供する提供条件を指定させ、指定された提供条件を満たす広告枠に関する販売サービスを提供する。また、実施形態に係る配信部１３５は、広告枠に関する権利を取得した広告主に対応する広告コンテンツと、かかる広告主によって指定された提供条件を満たす広告枠に関する情報とを関連付けた関連情報を配信する。
【０１７２】
これにより、実施形態に係る広告装置１００は、広告主の要望に沿った広告配信を実現することができる。
【０１７３】
また、実施形態に係る提供部１３２は、提供条件として、映画館に関する条件を広告主に指定させ、販売サービスを提供する。
【０１７４】
これにより、実施形態に係る広告装置１００は、広告コンテンツが提供される施設に関する広告主の要望に沿った広告配信を実現することができる。
【０１７５】
さらに、実施形態に係る提供部１３２は、映画館に関する条件として、映画館が所在する地域、映画館で映画が提供される日程、又は映画館の座席数の少なくとも一つを広告主に指定させ、販売サービスを提供する。
【０１７６】
これにより、実施形態に係る広告装置１００は、広告コンテンツが提供される施設に関して、より詳細な広告主の要望に沿った広告配信を実現することができる。
【０１７７】
また、実施形態に係る提供部１３２は、提供条件として、広告枠が組み込まれる映画に関する条件を広告主に指定させ、販売サービスを提供する。
【０１７８】
これにより、実施形態に係る広告装置１００は、広告コンテンツとともに提供される映画に関して、広告主の要望に沿った広告配信を実現することができる。
【０１７９】
また、実施形態に係る提供部１３２は、映画に関する条件として、映画のタイトル又は内容を指定させ、販売サービスを提供する。
【０１８０】
これにより、実施形態に係る広告装置１００は、広告コンテンツとともに提供される映画に関して、より詳細な広告主の要望に沿った広告配信を実現することができる。
【０１８１】
また、実施形態に係る配信部１３５は、ウェブページを表示する端末装置へ広告枠に関する権利を取得した広告主に対応する広告コンテンツを配信し、配信した広告コンテンツに対する評判に基づいて、映画館側に配信する広告コンテンツを選定する。
【０１８２】
これにより、実施形態に係る広告装置１００は、より広告対象の認知度を向上させると推認される広告コンテンツを選定して、映画館側に広告コンテンツを配信することができる。このため、実施形態に係る広告装置１００は、配信する広告コンテンツの広告効果を高めることができる。
【０１８３】
また、実施形態に係る提供部１３２は、映画館の動員数の予測値を提示するとともに、販売サービスを提供する。
【０１８４】
これにより、実施形態に係る広告装置１００は、広告主の求める広告効果に見合う広告配信を実現することができる。
【０１８５】
また、実施形態に係る広告装置１００は、広告枠を取得した広告主に対応する広告コンテンツを映画館で提供可能な形式に変換する変換部１３４をさらに有する。また、実施形態に係る配信部１３５は、変換部１３４によって変換された後の広告コンテンツと、広告枠に関する情報とを関連付けた関連情報を映画館に配信する。
【０１８６】
これにより、実施形態に係る広告装置１００は、広告コンテンツの形式にかかわらず広告主に広告コンテンツを入稿させることができるため、広告配信にかかる広告主の負担を軽減させることができる。
【０１８７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１８８】
また、上述してきた「部（section、module、unit）」は、「手段」や「回路」などに読み替えることができる。例えば、提供部は、提供手段や提供回路に読み替えることができる。
【符号の説明】
【０１８９】
１  配信システム
１０  広告主端末
２０  映画館装置
１００  広告装置
１３１  取得部
１３２  提供部
１３３  受付部
１３４  変換部
１３５  配信部
１３６  算定部
【図１】
0006023104.tif 000002
【図２】
0006023104.tif 000003
【図３】
0006023104.tif 000004
【図４】
0006023104.tif 000005
【図５】
0006023104.tif 000006
【図６】
0006023104.tif 000007
【図７】
0006023104.tif 000008
【図８】
0006023104.tif 000009
【図９】
0006023104.tif 000010
【図１０】
0006023104.tif 000011
【図１１】
0006023104.tif 000012
【図１２】
0006023104.tif 000013
【図１３】
0006023104.tif 000014